【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
関心を持つユーザのコミュニティに番組セグメントの利用可能性について通知する方法であって、該方法は、
ユーザ機器を使用して、関心のある番組セグメントのユーザ選択を受信することと、
該ユーザ機器を使用して、該番組セグメントの場所についてネットワークを検索することであって、該検索することは、該番組セグメントの場所について該ネットワークを周期的にポーリングすることを含む、ことと、
該ユーザ機器を使用して、該利用可能性に基づいて、該ネットワーク上の該番組セグメントの場所に関連付けられた参照を作成することと、
該ユーザ機器を使用して、該関心を持つユーザのコミュニティに該番組セグメントについて該参照を使用して通知することと
を含む、方法。
【請求項２】
前記周期的にポーリングすることは、固定された長さの時間、実施される、請求項１に記載の方法。
【請求項３】
前記周期的にポーリングすることは、前記番組セグメントが利用可能となるまでポーリングすることを含む、請求項１に記載の方法。
【請求項４】
前記周期的にポーリングすることは、前記ネットワークから番組に関連する複数の情報を収集することを含む、請求項１に記載の方法。
【請求項５】
前記ネットワークは、インターネット上の放送会社のウェブサイトを含む、請求項１に記載の方法。
【請求項６】
前記参照を作成することは、前記番組セグメントに関連付けられた複数の情報のフィールドにデータ投入することを含み、該複数の情報のフィールドは、コミュニティグループフィールド、番組タイトルフィールド、セグメントタイトルフィールド、セグメント開始時間インデックスフィールド、セグメント終了時間インデックスフィールド、場所フィールド、利用可能日付フィールド、番組の放送会社フィールド、放送会社のウェブサイトフィールド、視聴可能フィールド、およびダウンロード可能フィールドのうちの少なくとも１つを含む、請求項１に記載の方法。
【請求項７】
前記通知することは、ディスプレイ上に双方向通知を表示することを含む、請求項１に記載の方法。
【請求項８】
前記双方向通知は、番組セグメント視聴オプションと、番組セグメントダウンロードオプションとを備えている、請求項７に記載の方法。
【請求項９】
前記ユーザ機器を使用して、前記関心のある番組セグメントの開始時間のユーザ選択を受信することと、
該ユーザ機器を使用して、該関心のある番組セグメントの終了時間のユーザ選択を受信することと、
該ユーザ機器を使用して、該関心のある番組セグメントのタイトルのユーザ選択を受信することであって、該関心のある番組セグメントは、該関心のある番組セグメントの開始時間および該関心のある番組セグメントの終了時間によって識別される、ことと、
該ユーザ機器を使用して、該関心のある番組セグメントの開始時間と、該関心のある番組セグメントの終了時間と、該関心のある番組セグメントのタイトルとを記憶することと
をさらに含む、請求項１に記載の方法。
【請求項１０】
前記関心のある番組セグメントの前記ユーザ選択を受信することは、前記関心のある番組セグメントのタイトルのユーザ選択を受信することを含む、請求項９に記載の方法。
【請求項１１】
関心を持つユーザのコミュニティに番組セグメントの利用可能性について通知するための装置であって、該装置は、
ユーザ機器を使用して、関心のある番組セグメントのユーザ選択を受信する手段と、
該ユーザ機器を使用して、該番組セグメントの場所についてネットワークを検索する手段であって、検索することが、該番組セグメントの場所について該ネットワークを周期的にポーリングすることを含む、手段と、
該ユーザ機器を使用して、該利用可能性に基づいて、該ネットワーク上の該番組セグメントの場所に関連付けられた参照を作成する手段と、
該ユーザ機器を使用して、該関心を持つユーザのコミュニティに該番組セグメントについて該参照を使用して通知する手段と
を備えている、装置。
【請求項１２】
前記周期的にポーリングすることは、固定された長さの時間、実施される、請求項１１に記載の装置。
【請求項１３】
前記周期的にポーリングすることは、前記番組セグメントが利用可能となるまでポーリングすることを含む、請求項１１に記載の装置。
【請求項１４】
前記周期的にポーリングすることは、前記ネットワークから番組に関連する複数の情報を収集することを含む、請求項１１に記載の装置。
【請求項１５】
前記ネットワークは、インターネット上の放送会社のウェブサイトを含む、請求項１１に記載の装置。
【請求項１６】
参照を作成することが、前記番組セグメントに関連付けられた複数の情報のフィールドにデータ投入することを含み、該複数の情報のフィールドは、コミュニティグループフィールド、番組タイトルフィールド、セグメントタイトルフィールド、セグメント開始時間インデックスフィールド、セグメント終了時間インデックスフィールド、場所フィールド、利用可能日付フィールド、番組の放送会社フィールド、放送会社のウェブサイトフィールド、視聴可能フィールド、およびダウンロード可能フィールドのうちの少なくとも１つを含む、請求項１１に記載の装置。
【請求項１７】
通知することが、ディスプレイ上に双方向通知を表示することを含む、請求項１１に記載の装置。
【請求項１８】
前記双方向通知は、番組セグメント視聴オプションと、番組セグメントダウンロードオプションとを備えている、請求項１７に記載の装置。
【請求項１９】
前記ユーザ機器を使用して、前記関心のある番組セグメントの開始時間のユーザ選択を受信することと、
該ユーザ機器を使用して、該関心のある番組セグメントの終了時間のユーザ選択を受信することと、
該ユーザ機器を使用して、該関心のある番組セグメントのタイトルのユーザ選択を受信することであって、該関心のある番組セグメントは、該関心のある番組セグメントの開始時間および該関心のある番組セグメントの終了時間によって識別される、ことと、
該ユーザ機器を使用して、該関心のある番組セグメントの開始時間と、該関心のある番組セグメントの終了時間と、該関心のある番組セグメントのタイトルとを記憶することと
をさらに含む、請求項１１に記載の装置。
【請求項２０】
前記関心のある番組セグメントのユーザ選択を受信することは、該関心のある番組セグメントのタイトルのユーザ選択を受信することを含む、請求項１９に記載の装置。
【手続補正２】
【補正対象書類名】明細書
【補正対象項目名】００１２
【補正方法】変更
【補正の内容】
【００１２】
他の実施形態では、ユーザ機器は、関心のある番組セグメントのユーザ選択を受信し、番組セグメントの場所および利用可能性についてネットワークをポーリングし、ネットワーク上の番組セグメントの場所に関連付けられた参照を作成し、関心を持つユーザのコミュニティと参照を共有し、参照を使用して、関心を持つユーザのコミュニティに番組セグメントについて通知するように構成される。
本願明細書は、例えば、以下の項目も提供する。
（項目１）
関心を持つユーザのコミュニティに番組セグメントの利用可能性について通知する方法であって、該方法は、
ユーザ機器を使用して、関心のある番組セグメントのユーザ選択を受信することと、
該ユーザ機器を使用して、該番組セグメントの場所についてネットワークを検索することであって、該検索することは、該番組セグメントの場所について該ネットワークを周期的にポーリングすることを含む、ことと、
該ユーザ機器を使用して、利用可能性に基づいて、該ネットワーク上の該番組セグメントの場所に関連付けられた参照を作成することと、
該ユーザ機器を使用して、該関心を持つユーザのコミュニティに該番組セグメントについて該参照を使用して通知することと
を含む、方法。
（項目２）
前記周期的にポーリングすることは、固定された長さの時間、実施される、項目１に記載の方法。
（項目３）
前記周期的にポーリングすることは、前記番組セグメントが利用可能となるまでポーリングすることを含む、項目１に記載の方法。
（項目４）
前記周期的にポーリングすることは、前記ネットワークから番組に関連する複数の情報を収集することを含む、項目１に記載の方法。
（項目５）
前記ネットワークは、インターネット上の放送会社のウェブサイトを含む、項目１に記載の方法。
（項目６）
前記参照を作成することは、前記番組セグメントに関連付けられた複数の情報のフィールドにデータ投入することを含み、該複数の情報のフィールドは、コミュニティグループフィールド、番組タイトルフィールド、セグメントタイトルフィールド、セグメント開始時間インデックスフィールド、セグメント終了時間インデックスフィールド、場所フィールド、利用可能日付フィールド、番組の放送会社フィールド、放送会社のウェブサイトフィールド、視聴可能フィールド、およびダウンロード可能フィールドのうちの少なくとも１つを含む、項目１に記載の方法。
（項目７）
前記通知することは、ディスプレイ上に双方向通知を表示することを含む、項目１に記載の方法。
（項目８）
前記双方向通知は、番組セグメント視聴オプションと、番組セグメントダウンロードオプションとを備えている、項目７に記載の方法。
（項目９）
前記ユーザ機器を使用して、前記関心のある番組セグメントの開始時間のユーザ選択を受信することと、
該ユーザ機器を使用して、該関心のある番組セグメントの終了時間のユーザ選択を受信することと、
該ユーザ機器を使用して、該関心のある番組セグメントのタイトルのユーザ選択を受信することであって、該関心のある番組セグメントは、該関心のある番組セグメントの開始時間および該関心のある番組セグメントの終了時間によって識別される、ことと、
該ユーザ機器を使用して、該関心のある番組セグメントの開始時間と、該関心のある番組セグメントの終了時間と、該関心のある番組セグメントのタイトルとを記憶することと
をさらに含む、項目１に記載の方法。
（項目１０）
前記関心のある番組セグメントの前記ユーザ選択を受信することは、前記関心のある番組セグメントのタイトルのユーザ選択を受信することを含む、項目９に記載の方法。
（項目１１）
関心を持つユーザのコミュニティに番組セグメントの利用可能性について通知するためのシステムであって、
該関心のある番組セグメントのユーザ選択を受信することと、
該番組セグメントの場所について該ネットワークを周期的にポーリングすることと、
利用可能性に基づいて、該ネットワーク上の該番組セグメントの場所に関連付けられた参照を作成することと、
該参照を使用して、該関心を持つユーザのコミュニティに該番組セグメントについて通知することと
を行うように構成されたユーザ機器を備えている、システム。
（項目１２）
前記ユーザ機器は、固定された長さの時間、周期的にポーリングするようにさらに構成されている、項目１１に記載のシステム。
（項目１３）
前記ユーザ機器は、前記番組セグメントが利用可能となるまで周期的にポーリングするようにさらに構成されている、項目１１に記載のシステム。
（項目１４）
前記ユーザ機器は、前記ネットワークから番組に関連する複数の情報を収集するようにさらに構成されている、項目１１に記載のシステム。
（項目１５）
前記ネットワークは、インターネット上の放送会社のウェブサイトを含む、項目１１に記載のシステム。
（項目１６）
前記ユーザ機器は、前記番組セグメントに関連付けられた複数の情報のフィールドにデータ投入するようにさらに構成され、該複数の情報のフィールドは、コミュニティグループフィールド、番組タイトルフィールド、セグメントタイトルフィールド、セグメント開始時間インデックスフィールド、セグメント終了時間インデックスフィールド、場所フィールド、利用可能日付フィールド、番組の放送会社フィールド、放送会社のウェブサイトフィールド、視聴可能フィールド、およびダウンロード可能フィールドのうちの少なくとも１つを備えている、項目１１に記載のシステム。
（項目１７）
前記ユーザ機器は、ディスプレイ上に双方向通知を表示するようにさらに構成されている、項目１１に記載のシステム。
（項目１８）
前記双方向通知は、番組セグメント視聴オプションと、番組セグメントダウンロードオプションとを備えている、項目１７に記載のシステム。
（項目１９）
前記ユーザ機器は、
前記関心のある番組セグメントの開始時間のユーザ選択を受信することと、
該関心のある番組セグメントの終了時間のユーザ選択を受信することと、
該関心のある番組セグメントのタイトルのユーザ選択を受信することであって、該関心のある番組セグメントは、該関心のある番組セグメントの開始時間および該関心のある番組セグメントの終了時間によって識別される、ことと、
該関心のある番組セグメントの開始時間と、該関心のある番組セグメントの終了時間と、該関心のある番組セグメントのタイトルとを記憶することと
を行うようにさらに構成されている、項目１１に記載のシステム。
（項目２０）
前記ユーザ機器は、前記関心のある番組セグメントのタイトルのユーザ選択を受信するようにさらに構成されている、項目１９に記載の方法。
（項目２１）
関心を持つユーザのコミュニティに番組セグメントの利用可能性について通知するための装置であって、
ユーザ機器を使用して、関心のある番組セグメントのユーザ選択を受信する手段と、
該ユーザ機器を使用して、該番組セグメントの場所についてネットワークを検索する手段であって、検索することが、該番組セグメントの場所について該ネットワークを周期的にポーリングすることを含む、手段と、
該ユーザ機器を使用して、利用可能性に基づいて、該ネットワーク上の該番組セグメントの場所に関連付けられた参照を作成する手段と、
該ユーザ機器を使用して、該関心を持つユーザのコミュニティに該番組セグメントについて該参照を使用して通知する手段と
を備えている、装置。
（項目２２）
前記周期的にポーリングすることは、固定された長さの時間、実施される、項目２１に記載の装置。
（項目２３）
前記周期的にポーリングすることは、前記番組セグメントが利用可能となるまでポーリングすることを含む、項目２１に記載の装置。
（項目２４）
前記周期的にポーリングすることは、前記ネットワークから番組に関連する複数の情報を収集することを含む、項目２１に記載の装置。
（項目２５）
前記ネットワークは、インターネット上の放送会社のウェブサイトを含む、項目２１に記載の装置。
（項目２６）
参照を作成することが、前記番組セグメントに関連付けられた複数の情報のフィールドにデータ投入することを含み、該複数の情報のフィールドは、コミュニティグループフィールド、番組タイトルフィールド、セグメントタイトルフィールド、セグメント開始時間インデックスフィールド、セグメント終了時間インデックスフィールド、場所フィールド、利用可能日付フィールド、番組の放送会社フィールド、放送会社のウェブサイトフィールド、視聴可能フィールド、およびダウンロード可能フィールドのうちの少なくとも１つを備えている、項目２１に記載の装置。
（項目２７）
通知することが、ディスプレイ上に双方向通知を表示することを含む、項目２１に記載の装置。
（項目２８）
前記双方向通知は、番組セグメント視聴オプションと、番組セグメントダウンロードオプションとを備えている、項目２７に記載の装置。
（項目２９）
前記ユーザ機器を使用して、前記関心のある番組セグメントの開始時間のユーザ選択を受信することと、
該ユーザ機器を使用して、該関心のある番組セグメントの終了時間のユーザ選択を受信することと、
該ユーザ機器を使用して、該関心のある番組セグメントのタイトルのユーザ選択を受信することであって、該関心のある番組セグメントは、該関心のある番組セグメントの開始時間および該関心のある番組セグメントの終了時間によって識別される、ことと、
該ユーザ機器を使用して、該関心のある番組セグメントの開始時間と、該関心のある番組セグメントの終了時間と、該関心のある番組セグメントのタイトルとを記憶することと
をさらに含む、項目２１に記載の装置。
（項目３０）
前記関心のある番組セグメントのユーザ選択を受信することが、該関心のある番組セグメントのタイトルのユーザ選択を受信することを含む、項目２９に記載の装置。